(57)【特許請求の範囲】
【請求項１】
対話アプリケーションを用いた携帯端末の動作方法であって、
所定の内容を対話ウィンドウの特定の領域に表示する段階；及び
対話内容の増加によって前記対話ウィンドウをスクロール（ｓｃｒｏｌｌ）する段階を含み、
前記所定の内容は、対話に参加したすべてのユーザが確認できる告知事項として、前記対話を開始したユーザによって最初に作成されて、前記所定の内容を編集可能なメニューキーを用いて前記特定の領域に直接表示され、前記対話ウィンドウに表示された対話内容がスクロールされても固定されて表示され、前記対話を開始したユーザが対話を終了した場合には、その次に対話に参加したユーザによって表示されることを特徴とする方法。
【請求項２】
ユーザからアプリケーションの入力ウィンドウに所定の内容を入力される段階；
前記入力された所定の内容を前記対話ウィンドウに表示するように要求される段階；及び
前記所定の内容が前記対話ウィンドウの特定の領域に固定されるように表示する段階をさらに含むことを特徴とする請求項１に記載の方法。
【請求項３】
前記ユーザは、
前記対話に参加したユーザのうち、最初に対話に参加したユーザであることを特徴とする請求項２に記載の方法。
【請求項４】
前記入力された所定の内容を前記対話ウィンドウに表示するように要求される段階は、
前記アプリケーションで提供される特定のキーを入力される、又は送信キーを少なくとも設定された時間以上入力される段階を含むことを特徴とする請求項２に記載の方法。
【請求項５】
前記所定の内容が前記対話ウィンドウに表示された対話内容がスクロールされても固定されて表示されるということは、
前記所定の内容が対話内容と区別され、前記対話ウィンドウに表示された前記対話内容のうち少なくとも１つがスクロールされて前記対話ウィンドウに表示できない場合にも、
前記所定の内容が前記対話ウィンドウの特定の領域に固定されるように表示されることを特徴とする請求項１に記載の方法。
【請求項６】
前記所定の内容は、
前記対話に参加した少なくとも１人のユーザが確認できる告知事項であることを特徴とする請求項１に記載の方法。
【請求項７】
対話アプリケーションを用いた携帯端末の装置であって、
所定の内容を対話ウィンドウの特定の領域に表示されるように制御する制御部；及び
前記対話ウィンドウに表示された対話内容がスクロール（ｓｃｒｏｌｌ）されても前記所定の内容を固定されるように表示する表示部を含み、
前記所定の内容は、対話に参加したすべてのユーザが確認できる告知事項として、前記対話を開始したユーザによって最初に作成されて、前記所定の内容を編集可能なメニューキーを用いて前記特定の領域に直接表示され、前記対話を開始したユーザが対話を終了した場合には、その次に対話に参加したユーザによって表示されていることを特徴とする装置。
【請求項８】
ユーザからアプリケーションの入力ウィンドウに所定の内容を入力される入力部をさらに含み、
前記制御部は、前記入力された所定の内容を前記対話ウィンドウに表示するように要求されることを特徴とする請求項７に記載の装置。
【請求項９】
前記ユーザは、
前記対話に参加したユーザのうち、最初に対話に参加したユーザであることを特徴とする請求項８に記載の装置。
【請求項１０】
前記入力部は、前記アプリケーションで提供される特定のキーを入力される、又は送信キーを少なくとも設定された時間以上入力されることを特徴とする請求項８に記載の装置。
【請求項１１】
前記表示部は、
前記対話ウィンドウに表示された前記対話内容のうち少なくとも１つがスクロールされて前記対話ウィンドウに表示できない場合にも、前記所定の内容を前記対話ウィンドウの特定の領域に固定されるように表示することを特徴とする請求項７に記載の装置。
【請求項１２】
前記所定の内容は、
前記対話に参加した少なくとも１人のユーザが確認できる告知事項であることを特徴とする請求項７に記載の装置。
【請求項１３】
前記対話アプリケーションの最初のユーザのみが前記特定の領域に所定の内容を記載できることを特徴とする請求項７に記載の装置。
【請求項１４】
対話アプリケーションを用いた携帯端末の動作方法であって、
スクロールされない第１ウィンドウに第１コンテンツを表示する段階；
スクロールされる第２ウィンドウに第２コンテンツを表示する段階；及び
前記第１コンテンツ及び前記第２コンテンツを入力されるための入力ウィンドウを表示する段階を含み、
前記第１コンテンツは、対話に参加したすべてのユーザが確認できる告知事項として、前記対話を開始したユーザによって最初に作成されて、前記第１コンテンツを編集可能なメニューキーを用いて前記告知事項を表示できる第１ウィンドウに直接表示され、前記対話を開始したユーザが対話を終了した場合には、その次に対話に参加したユーザによって表示され、前記第２ウィンドウは、メッセージを交換するためのウィンドウに含まることを特徴とする方法。
【発明の詳細な説明】
【技術分野】
【０００１】
本発明は、対話（ｄｉａｌｏｇ）アプリケーションに関し、より具体的には、携帯端末で使用される対話アプリケーションにおいて、対話ウィンドウの特定の領域に告知事項を固定されるように表示することによって、対話内容がスクロールされても対話に参加したユーザが告知事項を確認できる装置及び方法に関する。
【背景技術】
【０００２】
携帯端末の機能の発展に伴い、オンライン上で複数のユーザが対話を交わすことができるアプリケーションが開発されている。例えば、カカオトーク及びマイピープルなどのアプリケーションは、対話を交わすユーザが設定されている場合は、相手方の連絡先を入力することなくリアルタイムで互いの対話内容を確認できる。また、上記アプリケーションは、無料で携帯端末にインストールして使用することができ、ユーザが急増する傾向にある。
【０００３】
しかし、ユーザが対話内容を入力すると、先に対話ウィンドウに表示されていた対話内容は新しい対話内容が対話ウィンドウに表示されるとともにスクロールされ、現在の対話ウィンドウでその内容を確認することはできない問題点がある。すなわち、対話に参加したユーザが重要な情報が込められた対話内容を入力しても新しい対話内容によって重要情報がスクロールされ、対話に遅く参加したユーザは、対話ウィンドウを再度上方又は下方へスクロールして重要情報を確認しなければならない不便がある。
【０００４】
したがって、対話に参加した複数のユーザが、対話内容のスクロールにかかわらず、重要情報が込められた告知事項を常時確認できるようにする代案の提示が必要である。
【発明の概要】
【発明が解決しようとする課題】
【０００５】
本発明の目的は、従来提案されていた方法の上記の問題点を解決するために提案されたものであって、対話ウィンドウの特定の領域に告知事項を固定されるように表示することによって、対話内容がスクロールされても対話に参加したユーザが告知事項を確認できる装置及び方法を提供することにある。
【０００６】
本発明の他の目的は、複数のユーザが使用する対話ウィンドウに告知事項を表示し、団体、集会及び業務の効率性を高めることができる装置及び方法を提供することにある。
【０００７】
本発明のさらに他の目的は、告知事項が表示された後、対話に参加したユーザ全員が対話を中止した場合にも、告知事項が削除されないようにすることによって、対話に遅く参加したユーザも告知事項を確認できる装置及び方法を提供することにある。
【課題を解決するための手段】
【０００８】
上記目的を達成するための本発明の特徴による対話アプリケーションを用いた携帯端末の動作方法は、所定の内容を対話ウィンドウの特定の領域に表示する段階；及び対話内容の増加によって前記対話ウィンドウをスクロール（ｓｃｒｏｌｌ）する段階を含み、前記所定の内容は、前記対話ウィンドウに表示された対話内容がスクロールされても固定されて表示されることをその構成上の特徴とする。
【０００９】
好ましくは、ユーザから前記アプリケーションの入力ウィンドウに所定の内容を入力される段階；前記入力された所定の内容を前記対話ウィンドウに表示するように要求される段階；及び前記所定の内容が前記対話ウィンドウの特定の領域に固定されるように表示する段階をさらに含むことができる。
【００１０】
好ましくは、前記ユーザは、前記対話に参加したユーザのうち、最初に対話に参加したユーザであり得る。
【００１１】
好ましくは、前記入力された所定の内容を前記対話ウィンドウに表示するように要求される段階は、前記アプリケーションで提供される特定のキーを入力される、又は送信キーを少なくとも設定された時間以上入力される段階を含むことができる。
【００１２】
好ましくは、前記所定の内容が前記対話ウィンドウに表示された対話内容がスクロールされても固定されて表示されるということは、前記所定の内容が対話内容と区別され、前記対話ウィンドウに表示された前記対話内容のうち少なくとも１つがスクロールされて前記対話ウィンドウに表示できない場合にも、前記所定の内容が前記対話ウィンドウの特定の領域に固定されるように表示されることができる。
【００１３】
好ましくは、前記所定の内容は、前記対話に参加した少なくとも１人のユーザが確認できる告知事項であり得る。
【００１４】
上記目的を達成するための本発明の特徴による対話アプリケーションを用いた携帯端末の装置であって、所定の内容を対話ウィンドウの特定の領域に表示されるように制御する制御部；及び前記対話ウィンドウに表示された対話内容がスクロール（ｓｃｒｏｌｌ）されても前記所定の内容を固定されるように表示する表示部を含むことをその構成上の特徴とする。
【００１５】
好ましくは、ユーザから前記アプリケーションの入力ウィンドウに所定の内容を入力される入力部をさらに含み、前記制御部は、前記入力された所定の内容を前記対話ウィンドウに表示するように要求されることができる。
【００１６】
好ましくは、前記ユーザは、前記対話に参加したユーザのうち、最初に対話に参加したユーザであり得る。
【００１７】
好ましくは、前記入力部は、前記アプリケーションで提供される特定のキーを入力される、又は送信キーを少なくとも設定された時間以上入力されることができる。
【００１８】
好ましくは、前記表示部は、前記対話ウィンドウに表示された前記対話内容のうち少なくとも１つがスクロールされて前記対話ウィンドウに表示できない場合にも、前記所定の内容を前記対話ウィンドウの特定の領域に固定されるように表示することができる。
【００１９】
好ましくは、前記所定の内容は、前記対話に参加した少なくとも１人のユーザが確認できる告知事項であり得る。
【発明の効果】
【００２０】
本発明の告知機能が具備された対話アプリケーションを用いた携帯端末の装置及び方法によれば、携帯端末で使用される対話アプリケーションにおいて、対話ウィンドウの特定の領域に告知事項を固定されるように表示することによって、対話内容がスクロールされても対話に参加したユーザが告知事項を確認できる効果がある。
【図面の簡単な説明】
【００２１】
【図１】本発明による対話アプリケーションにおける告知事項を対話ウィンドウに固定して表示した一実施形態を示す図である。
【図２】本発明による対話アプリケーションにおける告知事項を対話ウィンドウに表示する順序を示すフローチャートである。
【図３】本発明による入力ウィンドウに所定の事項を記載した後、これを対話ウィンドウに表示するように要求する一実施形態を示す図である。
【図４】本発明による告知機能が具備された対話アプリケーションを用いた携帯端末の構成を示す図である。
【発明を実施するための形態】
【００２２】
以下、添付された図面を参照し、本発明の属する技術分野における通常の知識を有する者が本発明を容易に実施できるように好ましい実施形態を詳細に説明する。なお、本発明を説明するに当たって、関連する公知の機能または構成に対する具体的な説明が本発明の要旨を不要に不明確にする可能性があると判断された場合、その詳細な説明を省略する。なお、類似の機能及び作用を行う部分に対しては図面全体にわたって同一の符号を使用する。
【００２３】
図１は、本発明による対話アプリケーションにおける告知事項を対話ウィンドウに固定して表示した一実施形態を示す図である。図１に示すように、まず、入力ウィンドウ１０１は、対話アプリケーションのユーザが対話内容１０５や告知事項として表現しようとする内容を記載する場所である。より具体的には、オンライン上で少なくとも１人以上のユーザが互いに対話をする場合、それぞれが表現したい対話内容１０５を対話ウィンドウ１０４に表示するためには、入力ウィンドウ１０１にその内容を記載する必要がある。また、本発明によれば、告知事項１０６を対話ウィンドウ１０４の特定の領域に表示しようとする場合にも、ユーザは対話ウィンドウ１０４にその内容を記載する必要がある。すなわち、従来は、対話内容１０５を表示するために入力ウィンドウ１０１にユーザが表現しようとする内容を記載していたが、本発明によれば、ユーザが告知事項１０６を表示する為にも入力ウィンドウ１０１が用いられる。    
【００２４】
送信キー１０２は、ユーザによって入力ウィンドウ１０１に入力された内容を対話内容１０５として対話ウィンドウ１０４に表示するためのキーであり、告知事項１０６として対話ウィンドウ１０４に表示するためのキーでもある。より具体的には、ユーザが入力ウィンドウ１０１に入力された内容を対話内容１０５として対話ウィンドウ１０４に表示するために送信キー１０２を選択すると、入力ウィンドウ１０１に入力された内容が対話内容１０５として表示されて対話ウィンドウ１０４に表示される。また、ユーザが入力ウィンドウ１０１に入力された内容を告知事項１０６として対話ウィンドウ１０４に表示するためには、送信キー１０２をユーザによって設定された時間以上選択すると、入力ウィンドウ１０１に入力された内容が告知事項１０６として表示されることができる。これは、送信キー１０２を用いて入力ウィンドウ１０１に入力された内容を告知事項１０６として表示する一実施形態であり、後述のように、メニューキー１０３を用いて入力ウィンドウ１０１に入力された内容を告知事項１０６として表示することもできる。
【００２５】
メニューキー１０３は、本発明による対話アプリケーションを実行するための様々な追加的な事項を実行するためのキーである。例えば、ユーザがメニューキーを選択し、対話ウィンドウ１０４に表示された対話内容１０５を削除することもでき、入力ウィンドウ１０１に入力された内容を告知事項１０６として表示することもできる。より具体的には、図１には示していないが、ユーザが入力ウィンドウ１０１に特定の内容を入力した後、メニューキー１０３を選択すると、様々な項目のキーが表示されるが、ユーザが様々な項目のキーのうち、「告知事項として送信」というキーを選択すると、入力ウィンドウ１０１に入力された特定の内容が対話ウィンドウ１０４の特定の領域に告知事項１０６として表示されることもできる。よって、ユーザは、入力ウィンドウ１０１に入力された特定の内容を対話ウィンドウ１０４の任意の領域に告知事項１０６として表示するためには、送信キー１０２及びメニューキー１０３を用いることができる。
【００２６】
対話ウィンドウ１０４は、少なくとも１人のユーザが入力した対話内容１０５及び特定のユーザが入力した告知事項１０６が表示される場所である。より具体的には、対話アプリケーションを使用するユーザの対話内容１０５が時間の順序に従って表示される場所である。また、対話ウィンドウ１０４の任意の領域に告知事項１０６が表示される場所でもある。従来の対話ウィンドウ１０４は、対話アプリケーションを実行して対話に参加したユーザの対話内容１０５のみを表示する場所であったが、本発明によれば、対話ウィンドウ１０４の特定の領域に告知事項１０６も表示することができる。
【００２７】
対話内容１０５は、対話アプリケーションを用いて対話に参加したユーザによって作成された内容をいう。より具体的には、対話内容１０５を通して、対話に参加したユーザは互いの考えや感情を伝達できる。従来は、告知事項１０６を対話ウィンドウ１０４に表示することができず、対話内容１０５だけで必要な情報を伝達しなければならなかった。そのため、対話ウィンドウ１０４に表示された対話内容１０５がスクロールされた場合、対話に遅く参加したユーザや対話に最初から参加していたが重要内容を見逃したユーザは、スクロールされた対話内容１０５を直接確認しなければならない不便があった。
【００２８】
告知事項１０６は、対話に参加した少なくとも１人以上のユーザが重要情報を確認できるように対話ウィンドウ１０４の任意の領域に固定されて表示された内容をいう。より具体的には、対話アプリケーションを実行する場合において、対話に参加するユーザの全員が熟知しておくべき重要事項が対話ウィンドウ１０４に固定されて表示され、対話に遅く参加したユーザも直ちに重要事項を確認できる。例えば、図１に示すように、対話アプリケーションを用いて、対話に参加する全てのユーザが確認できるように対話ウィンドウ１０４の最上部に待ち合わせ場所、日付及び時間を記載することができる。よって、対話アプリケーションを遅く実行して対話に参加したユーザも対話ウィンドウ１０４の特定の領域に表示された告知事項を見て、待ち合わせ場所、日付及び時間を確認できる。図１では告知事項１０６が対話ウィンドウ１０４の上部に図示されているが、告知事項１０６の位置は対話ウィンドウ１０４の上部に限定されるものではない。したがって、告知事項１０６は、ユーザの設定によって、対話ウィンドウ１０４の下部、左側、右側など様々な場所に設定され得る。
【００２９】
図２は、本発明による対話アプリケーションにおける告知事項を対話ウィンドウに表示する順序を示すフローチャートである。図２に示すように、まず、携帯端末は、対話アプリケーションに他のユーザが対話に参加しているかを判断する（ステップ２０１）。より具体的には、本発明による対話アプリケーションを携帯端末にインストールして実行すると、携帯端末は、他のユーザが対話に参加しているかを判断する。本実施形態によれば、対話アプリケーションに最初に参加したユーザのみが対話ウィンドウに告知事項を作成できるからである。すなわち、対話ウィンドウに告知事項を作成できるマスター（ｍａｓｔｅｒ）は、同時に複数存在することができず、最初に対話に参加したユーザのみが告知事項を作成できる。図２には示していないが、好ましくは、マスターの権限を与えられたユーザが対話を終了した場合には、その次に対話に参加したユーザにマスターの権限が移転され得る。例えば、第１ユーザが対話アプリケーションに最初に参加した場合、もし、第１ユーザが対話アプリケーションを用いる他のユーザに伝達する告知すべき事項がある場合、第１ユーザはマスターであるので、必要な事項を記載して告知できる。以降、第２ユーザが対話に参加したと仮定すると、第２ユーザは、第１ユーザが公知した内容を確認することができ、第１ユーザと対話をすることもできる。対話ウィンドウに告知事項を記載し、第２ユーザと対話をした第１ユーザが対話を終了する場合には第２ユーザがマスターの権限を与えられることができる。したがって、第２ユーザは、第２ユーザが他のユーザに伝達すべき告知事項がある場合、対話ウィンドウに告知事項を追加的に記載することができる。図２には示していないが、マスターに関する他の実施形態によれば、対話アプリケーションを用いるユーザのうち、特定のユーザを選定して選ばれたユーザのみがマスターの権限を与えられることもできる。すなわち、選ばれたユーザのみが告知事項を対話ウィンドウに表示することができ、作成された告知事項を修正及び削除できるようにすることもできる。
【００３０】
対話アプリケーションに他のユーザが対話に参加していないと判断した場合、携帯端末には、ユーザからアプリケーションの入力ウィンドウに所定の内容を入力される（ステップ２０２）。より具体的には、図１を用いて詳細に説明したように、対話ウィンドウの特定の領域に告知事項を表示するためには、ユーザから入力ウィンドウに所定の内容を入力される必要がある。所定の内容とは、例えば、対話アプリケーションを用いる他のユーザに伝達するミーティングの待ち合わせ場所、日付及び時間である場合もあり、重要会議の案件である場合もある。すなわち、所定の内容は告知事項を意味する。
【００３１】
ユーザからアプリケーションの入力ウィンドウに所定の内容を入力されると、携帯端末は、ユーザから入力された所定の内容をアプリケーションの対話ウィンドウに固定して表示するように要求されたかを判断する（ステップ２０３）。より具体的には、アプリケーションの入力ウィンドウに入力された所定の内容は、対話内容として対話ウィンドウに表示されることもでき、告知事項として対話ウィンドウの特定の領域に表示されることもできる。もし、ユーザが他のユーザに伝達すべき告知事項を対話ウィンドウに表示することを希望する場合には、アプリケーションで提供される特定のキーを入力する、又は送信キーを少なくとも設定された時間以上入力する。すなわち、ユーザは、入力ウィンドウに告知事項を記載して、送信キーを設定された時間以上押して告知事項を対話ウィンドウに入力することができるし、メニューキーを選択して「告知事項として送信」というキーを選択することによって、告知事項を対話ウィンドウに入力することもできる。
【００３２】
携帯端末がユーザから入力された所定の内容をアプリケーションの対話ウィンドウに表示するように要求された場合、要求された所定の内容が対話ウィンドウの任意の領域に固定されて表示される（ステップ２０４）。より具体的には、ユーザが告知事項として表示することを希望する事項を対話ウィンドウに表示するように要求された場合、告知事項が対話ウィンドウの特定の領域に固定されて表示される。ここで、特定の領域とは、対話ウィンドウの領域のうち、ユーザの設定による様々な領域であることができる。すなわち、対話ウィンドウの最上部に告知事項を表示することもでき、対話ウィンドウの最下部、左側、右側など様々な場所に告知事項を表示することもできる。したがって、告知事項を対話ウィンドウの特定の領域に表示することによって、対話に遅く参加したユーザも直ちに告知事項を確認できる。例えば、対話に参加する全てのユーザが確認できるように対話ウィンドウの最上部に待ち合わせ場所、日付及び時間を記載することができる。よって、対話アプリケーションを遅く実行して対話に参加したユーザも対話ウィンドウの上部に表示された告知事項を見て、待ち合わせ場所、日付及び時間を確認できる。
【００３３】
もし、対話アプリケーションに他のユーザが対話に参加している、または入力された所定の内容をアプリケーションの対話ウィンドウに固定して表示するように要求されなかった場合、ユーザは入力ウィンドウに入力された内容を対話内容として対話ウィンドウに送信し、他のユーザとの対話に参加できる（ステップ２０５）。より具体的には、対話ウィンドウに告知事項を表示できるマスターの権限のないユーザや、マスターの権限はあるが、対話ウィンドウに告知事項を表示することを希望しないユーザは、入力ウィンドウに入力された内容を対話内容として対話ウィンドウに送信し、他のユーザとの対話に参加できる。
【００３４】
図３は、本発明による入力ウィンドウに所定の事項を記載した後、これを対話ウィンドウに表示するように要求する一実施形態を示す図である。まず、図３（ａ）は、送信キーを選択し、告知事項を対話ウィンドウに表示するように要求する図である。図３（ａ）に示すように、送信キーは、ユーザによって入力ウィンドウに入力された内容を対話内容として対話ウィンドウに表示するためのキーであり、告知事項として対話ウィンドウに表示するためのキーでもある。より具体的には、ユーザが入力ウィンドウに入力された内容を対話内容として対話ウィンドウに表示するために送信キーを選択すると、入力ウィンドウに入力された内容が対話内容として表示されて対話ウィンドウに表示される。また、ユーザが入力ウィンドウに入力された内容を告知事項として対話ウィンドウに表示するためには、送信キーをユーザによって設定された時間以上選択すると、入力ウィンドウに入力された内容が告知事項として表示されることができる。よって、ユーザは入力ウィンドウに入力された内容を告知事項として対話ウィンドウの任意の領域に表示するために送信キーを用いることができる。
【００３５】
図３（ｂ）は、メニューキーを選択し、告知事項を対話ウィンドウに表示するように要求する一実施形態を示す図である。図３（ｂ）に示すように、メニューキーは本発明による対話アプリケーションを実行するための様々な追加的な事項を実行するためのキーである。例えば、ユーザがメニューキーを選択し、対話ウィンドウに表示された対話内容を削除することもでき、入力ウィンドウに入力された内容を告知事項として表示することもできる。より具体的には、ユーザが入力ウィンドウに特定の内容を入力した後、メニューキーを選択すると、様々な項目のキーが表示されるが、ユーザが様々な項目のキーのうち、「告知事項として送信」というキーを選択すると、入力ウィンドウに入力された特定の内容が対話ウィンドウの特定の領域に告知事項として表示されることもできる。よって、ユーザは入力ウィンドウに入力された特定の内容を対話ウィンドウの特定の領域に告知事項として表示するためにはメニューキーを用いることができる。
【００３６】
図４は、本発明による告知機能が具備された対話アプリケーションを用いた携帯端末の構成を示す図である。図４に示すように、本発明による携帯端末は、制御部４０１、入力部４０２、表示部４０３、通信モジュール４０４及び保存部４０５を含んで構成されることができる。
【００３７】
制御部４０１は、携帯端末の全般的な動作を制御する。例えば、所定の内容を対話ウィンドウの特定の領域に表示されるように制御し、入力された所定の内容を対話ウィンドウに表示するように要求される。
【００３８】
入力部４０２は、ユーザの選択によって発生する入力データを前記制御部４０１に提供する。例えば、ユーザからアプリケーションの入力ウィンドウに所定の内容を入力され、アプリケーションで提供される特定のキーを入力される、又は送信キーを少なくとも設定された時間以上入力される。
【００３９】
表示部４０３は、制御部４０１の制御に応じて携帯端末の状態情報、メニュー画面及びストレージ情報を表示する。例えば、対話ウィンドウに表示された対話内容がスクロール（ｓｃｒｏｌｌ）されても所定の内容を固定されるように表示する。または、対話ウィンドウに表示された対話内容のうち少なくとも１つがスクロールされて対話ウィンドウに表示できない場合にも、所定の内容を対話ウィンドウの特定の領域に固定されるように表示する。
【００４０】
通信モジュール４０４は、音声及びデータ通信のためにアンテナを介して送受信される信号を処理する。
【００４１】
保存部４０５は、携帯端末の動作を制御するためのプログラムを保存するプログラム保存部及びプログラムの遂行中に発生するデータを保存するデータ保存部で構成されることができる。
【００４２】
上記のブロック構成で、制御部４０１は、端末の全般的な機能を行うことができる。本発明でこれを別途構成して示したのは、各機能を区別して説明するためである。したがって、実際に製品として具現化する場合は、端末の全機能を制御部４０１で処理するように構成することができ、機能の一部のみを制御部４０１で処理するように構成することもできる。
【００４３】
以上で説明した本発明は、本発明の属する技術分野における通常の知識を有する者によって様々な変形や応用が可能であり、本発明による技術的思想の範囲は下記の特許請求の範囲によって定められるべきである。
【符号の説明】
【００４４】
１０１  入力ウィンドウ
１０２  送信キー
１０３  メニューキー
１０４  対話ウィンドウ
１０５  対話内容
１０６  告知事項
４０１  制御部
４０２  入力部
４０３  表示部
４０４  通信モジュール
４０５  保存部
【図１】
0006027127.tif 000002
【図２】
0006027127.tif 000003
【図３】
0006027127.tif 000004
【図４】
0006027127.tif 000005